【手続補正書】
【提出日】平成15年7月16日(2003.7.16)
【手続補正１】
【補正対象書類名】明細書
【補正対象項目名】特許請求の範囲
【補正方法】変更
【補正の内容】
【特許請求の範囲】
【請求項１】
顔料と、水溶性有機溶剤と、水とを少なくとも含んでなり、前記顔料がジアゾニウム塩の反応により顔料にカルボキシル基またはスルホン基が付加された分散剤なしに水に分散および／または溶解が可能な顔料であり、かつ水溶性カチオン性ポリマーもしくはオリゴマーと、浸透剤とを含む水性顔料インク組成物。
【請求項２】
前記顔料が、その表面に、カルボニル基、カルボキシル基、ヒドロキシル基、またはスルホン基の少なくとも一種の官能基またはその塩が結合するよう表面処理によって、分散剤なしに水に分散および／または溶解が可能なものとされたものであることを特徴とする請求項１に記載のインク組成物。
【請求項３】
顔料が親水性部分と疎水性部分を有する樹脂被覆によりマイクロカプセル化されたマイクロカプセル顔料であることを特徴とする請求項１に記載の水性顔料インク組成物。
【請求項４】
顔料と、水溶性有機溶剤と、水とを少なくとも含んでなり、前記顔料がラジカル反応により顔料にフェノール化合物が付加された分散剤なしに水に分散および／または溶解が可能な顔料であり、かつ水溶性カチオン性ポリマーもしくはオリゴマーとを含むことを特徴とする水性顔料インク組成物。
【請求項５】
前記顔料がカーボンブラックを主成分としたものであることを特徴とする請求項１乃至４の何れか１に記載のインク組成物。
【請求項６】
前記顔料の平均粒径が３００ｎｍ以下であることを特徴とする請求項１乃至５の何れか１に記載のインク組成物。
【請求項７】
前記顔料を２〜１０重量％含んでなることを特徴とする請求項１乃至６の何れか１に記載のインク組成物。
【請求項８】
前記水溶性カチオン性ポリマーもしくはオリゴマーの重量平均分子量が１０万以下であることを特徴とする請求項１乃至７の何れか１に記載のインク組成物。
【請求項９】
前記水溶性カチオン性ポリマーもしくはオリゴマーの数平均分子量が５万以下であることを特徴とする請求項１乃至８の何れか１に記載のインク組成物。
【請求項１０】
前記水溶性カチオン性ポリマーもしくはオリゴマーの数平均分子量が３万以下であることを特徴とする請求項１乃至９の何れか１に記載のインク組成物。
【請求項１１】
前記水溶性カチオン性ポリマーもしくはオリゴマーがポリアリルアミン、ポリエチレンイミン及びポリビニルアミンからなる群から選択されることを特徴とする請求項１乃至１０の何れか１に記載のインク組成物。
【請求項１２】
前記水溶性カチオン性ポリマーもしくはオリゴマーの含有量がインク全量に対して、０．１〜２０重量％であることを特徴とする請求項１乃至１１の何れか１に記載のインク組成物。
【請求項１３】
前記浸透剤が２５℃の水中において０．１〜４．５重量％未満の溶解度を有する部分的に水溶性のポリオールおよび／またはグリコールエーテルであり、記録用インク全重量に対して０．１〜１０．０重量％含有することを特徴とする請求項１乃至１２の何れか１に記載のインク組成物。
【請求項１４】
２５℃の水中において０．１〜４．５重量％未満の溶解度を有する部分的に水溶性のポリオールおよび／またはグリコールエーテルと完全に水溶性のポリオール／またはグリコールエーテルとの混合物を、記録用インクの全重量に対して０．５〜４０重量％とすることを特徴とする請求項１乃至１３の何れか１に記載のインク組成物。
【請求項１５】
部分的に水溶性のポリオールおよび／またはグリコールエーテルが、２−エチル−１，３−ヘキサンジオールであることを特徴とする請求項１乃至１４の何れか１に記載のインク組成物。
【請求項１６】
部分的に水溶性のポリオールが、２，２，４−トリメチル−１，３−ペンタンジオールであることを特徴とする請求項１乃至１５の何れか１に記載のインク組成物。
【請求項１７】
完全に水溶性のポリオールおよび／またはグリコールエーテルが、エチレングリコール、ジエチレングリコール、トリエチレングリコール、プロピレングリコール、ジプロピレングリコール、トリプロピレングリコール、１，５−ペンタンジオール、テトラエチレングリコールおよびヘキシレングリコールからなる群より選ばれた少なくとも一種のものであることを特徴とする請求項１乃至１６の何れか１に記載のインク組成物。
【請求項１８】
さらに潤滑剤を含み、湿潤剤がグリセリンであり、水溶性有機溶剤がエチレングリコール、ジエチレングリコール、トリエチレングリコール、プロピレングリコール、ジプロピレングリコール、トリプロピレングリコール、１，５−ペンタンジオール、テトラエチレングリコールおよびヘキシレングリコールからなる群より選ばれた少なくとも一種のものであり、両者の混合比率が重量％で１０：１〜１：１０の範囲にあることを特徴とする請求項１乃至１７の何れか１に記載のインク組成物。
【請求項１９】
さらに潤滑剤を含み、湿潤剤がグリセリンであり、水溶性有機溶剤がジエチレングリコールであり、両者の混合比率が重量％で４：１〜１：４の範囲にあることを特徴とする請求項１乃至１７の何れか１に記載のインク組成物。
【請求項２０】
前記潤滑剤と水溶性有機溶剤との混合溶剤が記録用インク全重量に対して１重量％〜４０重量％含まれることを特徴とする請求項１８又は１９に記載のインク組成物。
【請求項２１】
水溶性有機溶剤が少なくとも１種類のピロリドン誘導体であることを特徴とする請求項１乃至２０の何れか１に記載のインク組成物。
【請求項２２】
水酸化リチウム、四級アンモニウム塩、トリエタノールアミンを更に含んでなることを特徴とする請求項１乃至２１の何れか１に記載のインク組成物。
【請求項２３】
ｐＨが７〜１１であることを特徴とする請求項１乃至２２の何れか１に記載のインク組成物。
【請求項２４】
インク中に樹脂エマルジョンを含有することを特徴とする請求項１乃至２３の何れか１に記載のインク組成物。
【請求項２５】
インク付着物を付着させて記録媒体に印字を行なう記録方法であって、インク組成物として請求項１乃至２４の何れか１に記載のインク組成物を用いることを特徴とする記録方法。
【請求項２６】
インクの液滴を記録ヘッドから吐出し、該液滴を記録媒体に付着させて印字を行なう記録方法であって、インクとして請求項１乃至２４の何れか１に記載のインクを用いることを特徴とするインクジェット記録方法。
【請求項２７】
前記インク組成物を含むことを特徴とする筆記具用インク。
【手続補正２】
【補正対象書類名】明細書
【補正対象項目名】００２４
【補正方法】変更
【補正の内容】
【００２４】
【課題を解決するための手段】
上記課題は、本発明の（１）「顔料と、水溶性有機溶剤と、水とを少なくとも含んでなり、前記顔料がジアゾニウム塩の反応により顔料にカルボキシル基またはスルホン基が付加された分散剤なしに水に分散および／または溶解が可能な顔料であり、かつ水溶性カチオン性ポリマーもしくはオリゴマーと、浸透剤とを含む水性顔料インク組成物」、（２）「前記顔料が、その表面に、カルボニル基、カルボキシル基、ヒドロキシル基、またはスルホン基の少なくとも一種の官能基またはその塩が結合するよう表面処理によって、分散剤なしに水に分散および／または溶解が可能なものとされたものであることを特徴とする前記第（１）項に記載のインク組成物」、（３）「顔料が親水性部分と疎水性部分を有する樹脂被覆によりマイクロカプセル化されたマイクロカプセル顔料であることを特徴とする前記第（１）項に記載の水性顔料インク組成物」、（４）「顔料と、水溶性有機溶剤と、水とを少なくとも含んでなり、前記顔料がラジカル反応により顔料にフェノール化合物が付加された分散剤なしに水に分散および／または溶解が可能な顔料であり、かつ水溶性カチオン性ポリマーもしくはオリゴマーとを含むことを特徴とする水性顔料インク組成物」、（５）「前記顔料がカーボンブラックを主成分としたものであることを特徴とする前記第（１）項乃至前記第（４）項の何れか１に記載のインク組成物」、（６）「前記顔料の平均粒径が３００ｎｍ以下であることを特徴とする前記第（１）項乃至前記第（５）項の何れか１に記載のインク組成物」、（７）「前記顔料を２〜１０重量％含んでなることを特徴とする前記第（１）項乃至前記第（６）項の何れか１に記載のインク組成物」、（８）「前記水溶性カチオン性ポリマーもしくはオリゴマーの重量平均分子量が１０万以下であることを特徴とする前記第（１）項乃至前記第（７）項の何れか１に記載のインク組成物」、（９）「前記水溶性カチオン性ポリマーもしくはオリゴマーの数平均分子量が５万以下であることを特徴とする前記第（１）項乃至前記第（８）項の何れか１に記載のインク組成物」、（１０）「前記水溶性カチオン性ポリマーもしくはオリゴマーの数平均分子量が３万以下であることを特徴とする前記第（１）項乃至前記第（９）項の何れか１に記載のインク組成物」、（１１）「前記水溶性カチオン性ポリマーもしくはオリゴマーがポリアリルアミン、ポリエチレンイミン及びポリビニルアミンからなる群から選択されることを特徴とする前記第（１）項乃至前記第（１０）項の何れか１に記載のインク組成物」、（１２）「前記水溶性カチオン性ポリマーもしくはオリゴマーの含有量がインク全量に対して、０．１〜２０重量％であることを特徴とする前記第（１）項乃至前記第（１１）項の何れか１に記載のインク組成物」、（１３）「前記浸透剤が２５℃の水中において０．１〜４．５重量％未満の溶解度を有する部分的に水溶性のポリオールおよび／またはグリコールエーテルであり、記録用インク全重量に対して０．１〜１０．０重量％含有することを特徴とする前記第（１）項乃至前記第（１２）項の何れか１に記載のインク組成物」、（１４）「２５℃の水中において０．１〜４．５重量％未満の溶解度を有する部分的に水溶性のポリオールおよび／またはグリコールエーテルと完全に水溶性のポリオール／またはグリコールエーテルとの混合物を、記録用インクの全重量に対して０．５〜４０重量％とすることを特徴とする前記第（１）項乃至前記第（１３）項の何れか１に記載のインク組成物」、（１５）「部分的に水溶性のポリオールおよび／またはグリコールエーテルが、２−エチル−１，３−ヘキサンジオールであることを特徴とする前記第（１）項乃至前記第（１４）項の何れか１に記載のインク組成物」、（１６）「部分的に水溶性のポリオールが、２，２，４−トリメチル−１，３−ペンタンジオールであることを特徴とする前記第（１）項乃至前記第（１５）項の何れか１に記載のインク組成物」、（１７）「完全に水溶性のポリオールおよび／またはグリコールエーテルが、エチレングリコール、ジエチレングリコール、トリエチレングリコール、プロピレングリコール、ジプロピレングリコール、トリプロピレングリコール、１，５−ペンタンジオール、テトラエチレングリコールおよびヘキシレングリコールからなる群より選ばれた少なくとも一種のものであることを特徴とする前記第（１）項乃至前記第（１６）項の何れか１に記載のインク組成物」、（１８）「さらに潤滑剤を含み、湿潤剤がグリセリンであり、水溶性有機溶剤がエチレングリコール、ジエチレングリコール、トリエチレングリコール、プロピレングリコール、ジプロピレングリコール、トリプロピレングリコール、１，５−ペンタンジオール、テトラエチレングリコールおよびヘキシレングリコールからなる群より選ばれた少なくとも一種のものであり、両者の混合比率が重量％で１０：１〜１：１０の範囲にあることを特徴とする前記第（１）項乃至前記第（１７）項の何れか１に記載のインク組成物」、（１９）「さらに潤滑剤を含み、湿潤剤がグリセリンであり、水溶性有機溶剤がジエチレングリコールであり、両者の混合比率が重量％で４：１〜１：４の範囲にあることを特徴とする前記第（１）項乃至前記第（１７）項の何れか１に記載のインク組成物」、（２０）「前記潤滑剤と水溶性有機溶剤との混合溶剤が記録用インク全重量に対して１重量％〜４０重量％含まれることを特徴とする前記第（１７）項又は前記第（１９）項に記載のインク組成物」、（２１）「水溶性有機溶剤が少なくとも１種類のピロリドン誘導体であることを特徴とする前記第（１）項乃至前記第（２０）項の何れか１に記載のインク組成物」、（２２）「水酸化リチウム、四級アンモニウム塩、トリエタノールアミンを更に含んでなることを特徴とする前記第（１）項乃至前記第（２１）項の何れか１に記載のインク組成物」、（２３）「ｐＨが７〜１１であることを特徴とする前記第（１）項乃至前記第（２２）項の何れか１に記載のインク組成物」、（２４）「インク中に樹脂エマルジョンを含有することを特徴とする前記第（１）項乃至前記第（２３）項の何れか１に記載のインク組成物」により解決される。


【手続補正３】
【補正対象書類名】明細書
【補正対象項目名】００２５
【補正方法】変更
【補正の内容】
【００２５】
また、上記課題は本発明の（２５）「インク付着物を付着させて記録媒体に印字を行なう記録方法であって、インク組成物として前記第（１）項乃至前記第（２４）項の何れか１に記載のインク組成物を用いることを特徴とする記録方法」、（２６）「インクの液滴を記録ヘッドから吐出し、該液滴を記録媒体に付着させて印字を行なう記録方法であって、インクとして前記第（１）項乃至前記第（２４）項の何れか１に記載のインクを用いることを特徴とするインクジェット記録方法」により解決される。


【手続補正４】
【補正対象書類名】明細書
【補正対象項目名】００２６
【補正方法】変更
【補正の内容】
【００２６】
さらにまた、上記課題は本発明の（２７）「前記インク組成物を含むことを特徴とする筆記具用インク」により解決される。